Podtech/llm-jp-corpus-v4-ja_patent huggingface dataset:
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
プレイヤの操作に応じてビデオゲームの進行を制御するビデオゲーム装置であって、
操作入力部に配置されている複数の操作部と、各操作部の機能を示す操作機能とが対応付けされた情報である操作機能対応情報を、前記ビデオゲームの進行状況と対応付けて複数記憶する記憶手段を参照し、前記ビデオゲームの進行状況に応じた操作機能対応情報を特定する特定手段と、
特定された操作機能対応情報に基づいて、前記複数の操作部それぞれに対応する複数の操作部画像であって、対応する各操作部に対応付けされている操作機能を識別可能な識別表示がそれぞれなされている一群の操作部画像を各操作部の配置位置に対応した配置で画像表示装置の表示画面における操作部画像表示領域に表示する表示手段とを含む
ことを特徴とするビデオゲーム装置。
【請求項２】
前記特定手段は、前記ビデオゲームの場面が変更されたとき、変更後の場面に対応する前記操作機能対応情報を特定する
請求項１記載のビデオゲーム装置。
【請求項３】
前記表示手段は、有効な操作部画像を識別可能に表示する
請求項１または請求項２記載のビデオゲーム装置。
【請求項４】
前記複数の操作部は、複数種類の操作機能が対応付けされている操作部を含み、
前記表示手段は、前記特定された操作機能対応情報に基づいて、前記複数種類の操作機能を識別可能な一群の操作部画像を表示し、
さらに、前記表示手段は、前記プレイヤによる所定操作を受け付けた際、前記複数種類の操作機能のうち有効な操作機能に対応する操作部画像のみを表示する
請求項１または請求項２記載のビデオゲーム装置。
【請求項５】
プレイヤの操作に応じてビデオゲームの進行を制御する機能をコンピュータに実現させるためのビデオゲーム処理プログラムであって、
前記コンピュータに、
操作入力部に配置されている複数の操作部と各操作部の機能を示す操作機能とが対応付けされた情報である操作機能対応情報を、前記ビデオゲームの進行状況と対応付けて複数記憶する記憶手段を参照し、前記ビデオゲームの進行状況に応じた操作機能対応情報を特定する特定機能と、
特定した操作機能対応情報に基づいて、前記複数の操作部それぞれに対応する複数の操作部画像であって、対応する各操作部に対応付けされている操作機能を識別可能な識別表示がそれぞれなされている一群の操作部画像を各操作部の配置位置に対応した配置で画像表示装置の表示画面における操作部画像表示領域に表示する表示機能とを
実現させるためのビデオゲーム処理プログラム。
【手続補正書】
【提出日】平成28年9月7日(2016.9.7)
【手続補正１】
【補正対象書類名】明細書
【補正対象項目名】０００５
【補正方法】変更
【補正の内容】
【０００５】
以上の課題を解決するため、請求項１記載の発明は、
車両に搭載されるシート装置において、
シートクッションフレームと、
前記シートクッションフレームの後端部から起立した状態に配置されたシートバックフレームと、
前記車両の旋回方向を検出する旋回センサと、
前記旋回センサの検出結果に基づいて、前記シートバックフレームを制御する制御部とを備え、
前記シートバックフレームは、
上下方向に沿うように前記シートバックフレームの両側部に配置された左右のサイドフレームと、
前記左右のサイドフレームに係合し、運転者の姿勢を調整するための調整機構と、
前記車両の進行方向に対して前記調整機構を揺動させる揺動機構と、を備え、
前記揺動機構は、
左右のサイドフレームのうち一方のサイドフレームと、前記調整機構の一側部とを連結する第一連結部と、
前記第一連結部を動作させて前記調整機構の一側部を前後方向に揺動するための第一駆動源と、
前記左右のサイドフレームのうち他方のサイドフレームと、前記調整機構の他側部とを連結する第二連結部と、
前記第二連結部を動作させて前記調整機構の他側部を前後方向に揺動するための第二駆動源とを備え、
前記制御部は、前記旋回センサによって前記車両の旋回方向が検出されると、前記調整機構の両側部のうち、前記旋回方向の内側となる側部を基準位置から後方へと移動させて、前記旋回方向の外側となる側部を基準位置から前方へと移動させるように、前記揺動機構の前記第一駆動源及び前記第二駆動源を制御することで、前記運転者の姿勢を調整することを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２記載の発明は、請求項１記載のシート装置において、
前記旋回センサは、前記車両のステアリングの操舵角度を検出する操舵角センサであることを特徴とする。
【手続補正６】
【補正対象書類名】明細書
【補正対象項目名】００１０
【補正方法】変更
【補正の内容】
【００１０】
請求項３記載の発明は、請求項１又は２記載のシート装置において、
前記調整機構は、前記左右のサイドフレームの間に配置された背板を有しており、
前記制御部は、前記揺動機構を制御して前記背板を揺動させることで、前記運転者の姿勢を調整することを特徴とする。
【手続補正７】
【補正対象書類名】特許請求の範囲
【補正対象項目名】全文
【補正方法】変更
【補正の内容】
【特許請求の範囲】
【請求項１】
車両に搭載されるシート装置において、
シートクッションフレームと、
前記シートクッションフレームの後端部から起立した状態に配置されたシートバックフレームと、
前記車両の旋回方向を検出する旋回センサと、
前記旋回センサの検出結果に基づいて、前記シートバックフレームを制御する制御部とを備え、
前記シートバックフレームは、
上下方向に沿うように前記シートバックフレームの両側部に配置された左右のサイドフレームと、
前記左右のサイドフレームに係合し、運転者の姿勢を調整するための調整機構と、
前記車両の進行方向に対して前記調整機構を揺動させる揺動機構と、を備え、
前記揺動機構は、
左右のサイドフレームのうち一方のサイドフレームと、前記調整機構の一側部とを連結する第一連結部と、
前記第一連結部を動作させて前記調整機構の一側部を前後方向に揺動するための第一駆動源と、
前記左右のサイドフレームのうち他方のサイドフレームと、前記調整機構の他側部とを連結する第二連結部と、
前記第二連結部を動作させて前記調整機構の他側部を前後方向に揺動するための第二駆動源とを備え、
前記制御部は、前記旋回センサによって前記車両の旋回方向が検出されると、前記調整機構の両側部のうち、前記旋回方向の内側となる側部を基準位置から後方へと移動させて、前記旋回方向の外側となる側部を基準位置から前方へと移動させるように、前記揺動機構の前記第一駆動源及び前記第二駆動源を制御することで、前記運転者の姿勢を調整することを特徴とするシート装置。
【請求項２】
請求項１記載のシート装置において、
前記旋回センサは、前記車両のステアリングの操舵角度を検出する操舵角センサであることを特徴とするシート装置。
【請求項３】
請求項１又は２記載のシート装置において、
前記調整機構は、前記左右のサイドフレームの間に配置された背板を有しており、
前記制御部は、前記揺動機構を制御して前記背板を揺動させることで、前記運転者の姿勢を調整することを特徴とするシート装置。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
錠剤を供給する錠剤供給装置と、前記錠剤供給装置から供給された錠剤を分包する分包装置と、を備える分包システムあって、
錠剤供給装置から供給される錠剤が収集され、当該錠剤を分包する分包装置にまとめて送るために用いられ、底面と両側面とを備える経路と、
前記経路に位置する錠剤を、前記錠剤供給装置から前記分包装置に向かう方向に押し出す錠剤押し出し部と、を有し、
前記底面は前記錠剤供給装置から前記分包装置に向かう方向と交差する交差方向に対して傾斜する傾斜面を備えており、
前記押し出し部は、前記傾斜面を備える底面に沿って錠剤を押し出すことを特徴とすることを特徴とする分包システム。
【請求項２】
前記底面は、前記錠剤供給装置から前記分包装置に向かう方向と交差する方向に関しては水平であることを特徴とする請求項１に記載の分包システム。
【請求項３】
前記傾斜面は、前記錠剤供給装置から複数の錠剤が供給された際に、前記経路内で前記交差方向に前記複数の錠剤が分散することにより前記両側面間で錠剤が詰まらないように設けられていることを特徴とする請求項１または２に記載の分包システム。
【請求項４】
前記底面には、傾斜面が少なくとも２つ設けられており、当該２つの傾斜面により凸形状が形成されていることを特徴とする請求項１乃至３のいずれか１項に記載の分包システム。
【請求項５】
前記両側面は、前記底面に対して鉛直方向に設けられていることを特徴とする請求項１乃至４のいずれか１項に記載の分包システム。
【請求項６】
前記両側面間の幅は、少なくとも２錠の錠剤が並んで通過きる幅であることを特徴とする請求項１乃至５のいずれか１項に記載の分包システム。
【請求項７】
前記錠剤供給装置は、複数の種類の錠剤を１包分の錠剤として供給可能であることを特徴とする請求項１乃至６のいずれか１項に記載の分包システム。
【請求項８】
錠剤供給装置から供給される錠剤を、当該錠剤を分包する分包装置に送るために用いられる中継ユニットであって、
錠剤供給装置から供給される錠剤が収集され、当該錠剤を分包する分包装置にまとめて送るために用いられ、底面と両側面とを備える経路と、
前記経路に位置する錠剤を、前記錠剤供給装置から前記分包装置に向かう方向に押し出す錠剤押し出し部と、を有し、
前記底面は前記錠剤供給装置から前記分包装置に向かう方向と交差する交差方向に対して傾斜する傾斜面を備え、ており、
前記押し出し部は、前記傾斜面を備える底面に沿って錠剤を押し出すことを特徴とする中継ユニット。
【手続補正２】
【補正対象書類名】明細書
【補正対象項目名】００１１
【補正方法】変更
【補正の内容】
【００１１】
本発明は、錠剤を供給する錠剤供給装置と、前記錠剤供給装置から供給された錠剤を分包する分包装置と、を備える分包システムあって、錠剤供給装置から供給される錠剤が収集され、当該錠剤を分包する分包装置にまとめて送るために用いられ、底面と両側面とを備える経路と、前記経路に位置する錠剤を、前記錠剤供給装置から前記分包装置に向かう方向に押し出す錠剤押し出し部と、を有し、前記底面は前記錠剤供給装置から前記分包装置に向かう方向と交差する交差方向に対して傾斜する傾斜面を備えており、
前記押し出し部は、前記傾斜面を備える底面に沿って錠剤を押し出すことを特徴とする。
【手続補正３】
【補正対象書類名】明細書
【補正対象項目名】００１２
【補正方法】変更
【補正の内容】
【００１２】
また、本発明は、錠剤供給装置から供給される錠剤を、当該錠剤を分包する分包装置に送るために用いられる中継ユニットであって、錠剤供給装置から供給される錠剤が収集され、当該錠剤を分包する分包装置にまとめて送るために用いられ、底面と両側面とを備える経路と、前記経路に位置する錠剤を、前記錠剤供給装置から前記分包装置に向かう方向に押し出す錠剤押し出し部と、を有し、前記底面は前記錠剤供給装置から前記分包装置に向かう方向と交差する交差方向に対して傾斜する傾斜面を備え、ており、前記押し出し部は、前記傾斜面を備える底面に沿って錠剤を押し出すことを特徴とする。
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
遊技の進行にかかる制御を行う遊技制御手段と、
前記遊技制御手段によって予め定められた有利な遊技状態に制御されるとき、該有利な遊技状態に制御されることを遊技者が把握可能となる確定演出を出現させるか否かについての判定を行う確定演出判定手段と、
前記確定演出判定手段により確定演出を出現させる旨判定されたとき、所定の確定演出タイミングにて、前記有利な遊技状態に制御されることを遊技者が把握可能となる確定演出を所定の演出部にて出現させる制御を実行可能な第１特定演出制御手段と、
前記確定演出判定手段により確定演出を出現させる旨判定されたとき、前記所定の確定演出タイミングとは異なる特定の確定演出タイミングにて、前記有利な遊技状態に制御されることを遊技者が把握可能となる確定演出を所定の演出部にて出現させる制御を実行可能な第２確定演出制御手段と、
前記有利な遊技状態に制御されるとき、特定の行為に関する演出指示が何ら行われていないなかで該特定の行為を密かに受付け可能な状態とし、該受付けがあったことに応じて出現可能とされる御利益演出にかかる制御を実行可能な御利益演出制御手段と
を備え、
前記御利益演出制御手段は、
前記特定の確定演出タイミングが未だ到来していない状況において、前記特定の行為が密かに受付け可能な状態とされているなかで該特定の行為が受付けられた場合、該受付けのあった時点では前記所定の演出部に該受付けに応じた前記御利益演出が現れないようにした上で、前記特定の確定演出タイミングが到来するのを待ってから、前記受付けがあったことに応じた前記御利益演出として、前記有利な遊技状態に制御されることを遊技者が把握可能となる確定演出を所定の演出部にて出現させる制御を実行可能な内密受付制御手段と、を備え、
前記御利益演出は、前記特定の行為が密かに受付け可能な状態とされているなかで該特定の行為が受付けられたとしても特定の割合をもって当該御利益演出を不実行とする
ことを特徴とする遊技機。
【手続補正２】
【補正対象書類名】明細書
【補正対象項目名】０００７
【補正方法】変更
【補正の内容】
【０００７】
ところで、上述したスロットマシンに限らず、パチンコ遊技機であっても前述した確定演出が現出されると、遊技者は至福を味わうことになるが、このような確定演出はそう簡単には現出されない。
【手続補正３】
【補正対象書類名】明細書
【補正対象項目名】０００８
【補正方法】変更
【補正の内容】
【０００８】
しかしながら、前述した確定演出はそう簡単には現出されないものの、多くの遊技者は確定演出が現出されることを望んでおり、さらには遊技機に備え付けられた操作部を操作する遊技者も少なからず存在する。
【手続補正４】
【補正対象書類名】明細書
【補正対象項目名】０００９
【補正方法】変更
【補正の内容】
【０００９】
そこで、本発明は上記課題に鑑みてなされたもので、そのような遊技者に対しても興趣を維持しうる遊技機を提供することを目的とする。
【手続補正５】
【補正対象書類名】明細書
【補正対象項目名】００１０
【補正方法】変更
【補正の内容】
【００１０】
こうした目的を達成するため、請求項１に記載の発明では、遊技の進行にかかる制御を行う遊技制御手段と、前記遊技制御手段によって予め定められた有利な遊技状態に制御されるとき、該有利な遊技状態に制御されることを遊技者が把握可能となる確定演出を出現させるか否かについての判定を行う確定演出判定手段と、前記確定演出判定手段により確定演出を出現させる旨判定されたとき、所定の確定演出タイミングにて、前記有利な遊技状態に制御されることを遊技者が把握可能となる確定演出を所定の演出部にて出現させる制御を実行可能な第１特定演出制御手段と、前記確定演出判定手段により確定演出を出現させる旨判定されたとき、前記所定の確定演出タイミングとは異なる特定の確定演出タイミングにて、前記有利な遊技状態に制御されることを遊技者が把握可能となる確定演出を所定の演出部にて出現させる制御を実行可能な第２確定演出制御手段と、前記有利な遊技状態に制御されるとき、特定の行為に関する演出指示が何ら行われていないなかで該特定の行為を密かに受付け可能な状態とし、該受付けがあったことに応じて出現可能とされる御利益演出にかかる制御を実行可能な御利益演出制御手段とを備え、前記御利益演出制御手段は、前記特定の確定演出タイミングが未だ到来していない状況において、前記特定の行為が密かに受付け可能な状態とされているなかで該特定の行為が受付けられた場合、該受付けのあった時点では前記所定の演出部に該受付けに応じた前記御利益演出が現れないようにした上で、前記特定の確定演出タイミングが到来するのを待ってから、前記受付けがあったことに応じた前記御利益演出として、前記有利な遊技状態に制御されることを遊技者が把握可能となる確定演出を所定の演出部にて出現させる制御を実行可能な内密受付制御手段と、を備え、前記御利益演出は、前記特定の行為が密かに受付け可能な状態とされているなかで該特定の行為が受付けられたとしても特定の割合をもって当該御利益演出を不実行とすることを要旨とする。
【手続補正６】
【補正対象書類名】明細書
【補正対象項目名】００１９
【補正方法】変更
【補正の内容】
【００１９】
この発明によれば、そのような遊技者に対しても興趣を維持しうる遊技機を提供することができる。
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
少なくとも５０個のプロリン（Ｐｒｏ）およびアラニン（Ａｌａ）アミノ酸残基からなる、プロリンおよびアラニンアミノ酸残基からなるアミノ酸配列を含む生合成ランダムコイルポリペプチド。
【請求項２】
５０個〜３０００個のアミノ酸残基からなるアミノ酸配列を含む、請求項１に記載の生合成ランダムコイルポリペプチド。
【請求項３】
前記プロリン残基が、前記アミノ酸配列の１０％超かつ７５％未満を構成する、請求項１または２に記載の生合成ランダムコイルポリペプチド。
【請求項４】
複数のアミノ酸リピートを含み、前記リピートが、プロリンおよびアラニン残基からなり、６個以下の連続したアミノ酸残基が同一である、請求項１から３のいずれか一項に記載の生合成ランダムコイルポリペプチド。
【請求項５】
【化７】
2016026149.tif 000001
またはこれらの配列全体もしくはこれらの配列の部分の円順列変異体もしくは多量体（単数または複数）からなる群から選択されるアミノ酸配列を含む、請求項１から４のいずれか一項に記載の生合成ランダムコイルポリペプチド。
【請求項６】
請求項１〜５のいずれか一項に記載の生合成ランダムコイルポリペプチドをコードする核酸分子。
【請求項７】
（ｉ）請求項１〜５のいずれか一項に記載の生合成ランダムコイルポリペプチドと
（ｉｉ）化粧品成分または化粧品添加物と
を含む、化粧用組成物。
【請求項８】
（ｉ）請求項１〜５のいずれか一項に記載の生合成ランダムコイルポリペプチドと
（ｉｉ）食品成分または食品添加物と
を含む、食用組成物。
【請求項９】
（ｉ）請求項１〜５のいずれか一項に記載の生合成ランダムコイルポリペプチドと
（ｉｉ）飲料成分または飲料添加物と
を含む、飲料組成物。
【請求項１０】
化粧品の製造における請求項１〜５のいずれか一項に記載の生合成ランダムコイルポリペプチドまたは請求項６に記載の核酸分子の使用。
【請求項１１】
食品の製造における請求項１〜５のいずれか一項に記載の生合成ランダムコイルポリペプチドまたは請求項６に記載の核酸分子の使用。
【請求項１２】
飲料の製造における請求項１〜５のいずれか一項に記載の生合成ランダムコイルポリペプチドまたは請求項６に記載の核酸分子の使用。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
雄の哺乳動物の個体を一時的に不妊にする男性用避妊装置であって、
制御された期間に、拡大部分に近い膨大部の下流領域で、精管を制限するように適合された植込み可能な制限デバイスを備え、前記デバイスはそれによって、精子が尿道に到達する事の防止が可能であり、
前記制限デバイスの動作を制御する制御デバイスを備える、
避妊装置。
【請求項２】
前記制限デバイスは、精管中の流れを止めるように精管の組織壁のうちの膨大部の下流の少なくとも一部分を締め付けるための締め付けデバイスを備える、請求項１に記載の避妊装置。
【請求項３】
前記締め付けデバイスは調節可能であり、精管の壁部分の制限を変更するために調節可能な前記締め付けデバイスを動作させるための動作デバイスとを備える、請求項２に記載の避妊装置。
【請求項４】
前記動作デバイスは、手動で動作される、請求項３に記載の避妊装置。
【請求項５】
前記動作デバイスは、機械式に、液圧式に、又は非磁気的および／または非手動で制限デバイスを動作させる、請求項３に記載の避妊装置。
【請求項６】
前記動作デバイスは、電動の動作デバイスを備える、請求項３に記載の避妊装置。
【請求項７】
前記動作デバイスは、モータまたサーボ・システムを備える、請求項６に記載の避妊装置。
【請求項８】
前記動作デバイスは前記締め付けデバイスを機械式に動作させ、そして前記制限デバイスは、器官の異なる側部において患者の精管中の流れの方向に器官に沿って延びる細長いクランプ要素を少なくとも２つ具備し、前記動作デバイスは、壁部分を締め付けるためにクランプ要素間で壁部分をクランプ留めするようにクランプ要素を動作させる、請求項３に記載の避妊装置。
【請求項９】
前記制限デバイスは、精管中の流れに影響を及ぼすように前記壁部分を収縮させるように、精管の組織壁のうち膨大部の下流領域にある壁部分を刺激する刺激デバイスを備える、請求項１に記載の避妊装置。
【請求項１０】
前記制御デバイスが、検知された機能パラメータまたは患者の物理的パラメータに応じて壁部分に対する前記刺激デバイスからの刺激の強さを制御する、請求項９に記載の避妊装置。
【請求項１１】
前記制御デバイスが前記刺激デバイスを次のように制御して、すなわち、締め付けられた壁部分に対して、それに収縮が生じるような刺激が前記刺激デバイスから施されるように制御し、精管中の流れを停止または完全に停止させるようにする、請求項９に記載の避妊装置。
【請求項１２】
前記制御デバイスは、第１モードでは、締め付けられた壁部分を刺激して精管中の流れを止めるように、そして、第２モードでは、壁部分の刺激を停止させて精管中の流れを許容するように、前記刺激デバイスを制御する、請求項９に記載の避妊装置。
【請求項１３】
前記制御デバイスは、壁部分の異なる領域を間欠的かつ個別に刺激するように前記刺激デバイスを制御し、少なくとも少なくとも２つの領域が異なる時点に刺激される、請求項９に記載の避妊装置。
【請求項１４】
前記制御デバイスは、壁部分の１またはそれ以上の領域を一度に刺激するように、前記刺激デバイスを制御し、
前記制御デバイスは、患者の精管中の流れと同じまたは反対の方向に壁部分に沿った領域の刺激を周期的に伝搬するように、前記刺激デバイスを制御し、または、
前記制御デバイスは、決められた刺激パターンに従って、領域の刺激を周期的に伝搬するように前記刺激デバイスを制御する、請求項９に記載の避妊装置。
【請求項１５】
前記刺激デバイスは、患者の壁部分の領域を電気パルスで電気刺激し、
前記刺激デバイスは、前記壁部分に契合する少なくとも１つの電気素子を含み、電気パルスで前記壁部分を刺激し、
前記刺激デバイスは、複数の電気素子を含む、請求項９に記載の避妊装置。
【請求項１６】
請求項１に記載の避妊装置を備えるシステム。
【請求項１７】
装置の移植可能なエネルギーを消費しているコンポーネントを駆動するための移植可能な内部エネルギー源を備え、
移動エネルギーのための外部のエネルギー源を無線モードに含み、前記内部エネルギー源は、無線モードで移されるエネルギーによって充電可能である、請求項１６に記載のシステム。
【請求項１８】
雄の哺乳動物の個体を一時的に不妊にする男性用避妊の方法であって、
植込み可能な制限デバイス、および
前記締め付けデバイスの動作を制御する制御デバイスの使用の方法を含み、
前記植込み可能な制限デバイスは、制御された期間に、拡大部分に近い膨大部の下流領域で、精管を制限するように適合され、前記デバイスはそれによって、精子が尿道に到達する事の防止が可能であることを特徴とする方法。
【請求項１９】
前記制限デバイスは、精管中の流れに影響を及ぼすように前記壁部分を収縮させるように、精管の組織壁のうち膨大部の下流領域にある壁部分を刺激する刺激デバイスを備えることを特徴とする請求項１８に記載の雄の哺乳動物の個体を一時的に不妊にする男性用避妊の方法。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
次のものから選択される化合物：
[４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸シクロヘキシルオキシカルボニルメチルエステル；
３−(３−{２−[(Ｅ)−３,５−ジアミノ−６−クロロ−ピラジン−２−カルボニルイミノ]−１,３,８−トリアザ−スピロ[４.５]デカン−８−カルボニル}−ベンゼンスルホニルアミノ)−プロピオン酸シクロヘキシルオキシカルボニルメチルエステル；
[４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸ジプロピルカルバモイルメチルエステル；
[４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸ｔｅｒｔ−ブトキシカルボニルメチルエステル；
[２−クロロ−４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸２−(２−オキソ−ピペリジン−１−イル)−エチルエステル；
[４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸２−モルホリン−４−イル−２−オキソ−エチルエステル；
１−[(３−{２−[(Ｅ)−３,５−ジアミノ−６−クロロ−ピラジン−２−カルボニルイミノ]−１,３,８−トリアザ−スピロ[４.５]デカン−８−カルボニル}−ベンゼンスルホニルアミノ)−メチル]−シクロブタンカルボン酸ジプロピルカルバモイルメチルエステル；および
３−[３−(３−{２−[(Ｅ)−３,５−ジアミノ−６−クロロ−ピラジン−２−カルボニル
イミノ]−１,３,８−トリアザ−スピロ[４.５]デカン−８−カルボニル}−フェニル)−ウ
レイド]−プロピオン酸ジプロピルカルバモイルメチルエステル；またはその薬学的に許容される塩もしくは溶媒和物。
【請求項２】
下記構造：
【化４】
2016026151.tif 000001
を有する、[４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸ジプロピルカルバモイルメチルエステルである、請求項１に記載の化合物またはその薬学的に許容される塩。
【請求項３】
下記構造：
【化６】
2016026151.tif 000002
を有する、[４−(３−{２−[(Ｅ)−３,５−ジアミノ−６−クロロ−ピラジン−２−カルボニルイミノ]−１,３,８−トリアザ−スピロ[４.５]デク−８−イル}−３−オキソ−プロピル)−フェノキシ]−酢酸２−モルホリン−４−イル−２−オキソ−エチルエステルである、請求項１に記載の化合物またはその薬学的に許容される塩。
【請求項４】
下記構造：
【化７】
2016026151.tif 000003
を有する、１−[(３−{２−[(Ｅ)−３,５−ジアミノ−６−クロロ−ピラジン−２−カルボニルイミノ]−１,３,８−トリアザ−スピロ[４.５]デカン−８−カルボニル}−ベンゼンスルホニルアミノ)−メチル]−シクロブタンカルボン酸ジプロピルカルバモイルメチルエステルである、請求項１に記載の化合物またはその薬学的に許容される塩。
【請求項５】
請求項１〜４のいずれかに記載の化合物またはその薬学的に許容される塩、および１種以上の薬学的に許容される添加物、希釈剤および／または担体を含む、医薬組成物。
【請求項６】
ＣＦＴＲ機能修飾剤およびマクロライド抗生物質から選択される、１種以上の他の治療剤と組み合わせた、請求項５に記載の医薬組成物。
【請求項７】
医薬として使用するための、請求項１〜４のいずれかに記載の化合物またはその薬学的に許容される塩。
【請求項８】
上皮性ナトリウムチャネルの遮断が仲介する疾患または状態の処置または予防に使用するための、請求項１〜４のいずれかに記載の化合物またはその薬学的に許容される塩。
【請求項９】
嚢胞性線維症、原発性線毛機能不全、および慢性閉塞性肺疾患から選択される、疾患または状態の処置または予防に使用するための、請求項１〜４のいずれかに記載の化合物またはその薬学的に許容される塩。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
マグネシウム合金による丸棒であって、
結晶組織内に変形双晶が形成されるとともに、長手方向に垂直な断面による結晶方位分布において結晶方位（０００１）が主要な方向となっていることを特徴とするマグネシウム合金製丸棒。
【請求項２】
前記マグネシウム合金は、ＡＺ系マグネシウム合金であり、前記丸棒の長手方向における引張試験によって、最大引張強度が４００ＭＰａを超え、かつ降伏応力が２５０ＭＰａ以上である請求項１に記載のマグネシウム合金製丸棒。
【請求項３】
マグネシウム合金による棒状、板状、ブロック状、ペレット状または管状の材料であり、側面を拘束した状態で所定方向にのみ圧縮荷重が印加されたものであって、
結晶組織内に変形双晶が形成されるとともに、前記圧縮荷重が印加された方向に垂直な断面による結晶方位分布において結晶方位（０００１）が主要な方向となっていることを特徴とするマグネシウム合金製材料。
【請求項４】
前記マグネシウム合金が、ＡＺ系マグネシウム合金、希土類元素添加マグネシウム合金、Ｃａ添加マグネシウム合金のいずれかである請求項３に記載のマグネシウム合金製材料。
【請求項５】
前記マグネシウム合金は、ＡＺ系マグネシウム合金であり、前記引張荷重が作用する方向における引張試験によって、最大引張強度が４００ＭＰａを超え、かつ降伏応力が２５０ＭＰａ以上である請求項３に記載のマグネシウム合金製材料。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
機台上部の丸刃支持部に回転可能に支持された丸刃と、丸刃の回転面に前端面を沿わせつつ左右方向に往復移動する肉箱と、肉箱の前端面を覆い、且つ、丸刃側側端面を丸刃の外周に沿わせた形状とした当て板とを有し、丸刃支持部の当て板側側面に、丸刃カバーが丸刃支持部に取り外し可能に設けられた食肉スライサーにおいて、丸刃カバーの丸刃側端面から丸刃の刃先近くまで当て板側の丸刃表面を覆い、且つ、先端を丸刃表面に近接乃至は接触させた刃面カバーを、丸刃カバーから延設させたことを特徴とする食肉スライサー。
【請求項２】
前記刃面カバーとの間にスライス肉片が排出される間隙を保って丸刃の刃先周辺を覆う刃先カバーを当て板の丸刃側端部から延設させたことを特徴とする請求項１に記載の食肉スライサー。
【手続補正２】
【補正対象書類名】明細書
【補正対象項目名】０００７
【補正方法】変更
【補正の内容】
【０００７】
又、前記刃面カバーとの間にスライス肉片が排出される間隙を保って丸刃の刃先周辺を覆う刃先カバーを当て板の丸刃側端部から延設させる。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、
前記不正防止部材は、前記通過口の開口縁のうち、前記発射位置から発射された遊技媒体の進行方向側の部位に前記隙間が位置するように、前記収容部に収容される
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
しかしながら、従来の遊技機では、線材を取り付けた遊技媒体を、通常の遊技媒体と同様に貯留部から遊技領域内へ発射して行うような不正行為については考慮されていなかった。
【手続補正５】
【補正対象書類名】明細書
【補正対象項目名】０００５
【補正方法】変更
【補正の内容】
【０００５】
そこで、本発明は上記の実情に鑑み、遊技媒体に線材を付着して行われる不正行為を抑止することが可能な遊技機の提供を課題とするものである。
【手続補正６】
【補正対象書類名】明細書
【補正対象項目名】０００６
【補正方法】変更
【補正の内容】
【０００６】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、
前記不正防止部材は、前記通過口の開口縁のうち、前記発射位置から発射された遊技媒体の進行方向側の部位に前記隙間が位置するように、前記収容部に収容される
ことを特徴とする。
また、本発明とは別に開示する別発明の手段を以下に示す。
手段１：遊技機において、
「遊技者の操作によって遊技媒体が打込まれる遊技領域と、
正面視で該遊技領域内の所定位置に配置され少なくとも前面に所定の装飾が施された装飾部材と、
該装飾部材の後側左右両端に夫々取付けられ上下方向へ延びるラックギアを夫々有した一対のスライダと、
一対の該スライダを夫々上下方向へスライド可能に支持するユニットベースと、
該ユニットベースの所定位置に回転可能に支持され一方の前記スライダにおける前記ラックギアと噛合するピニオンギアと、
該ピニオンギアを前記遊技領域内に遊技媒体が打込まれることで変化する遊技状態に応じて回転駆動させ前記ユニットベースに取付けられる駆動モータと、
該駆動モータにより回転駆動させられる前記ピニオンギアと噛合する前記ラックギアを有した一方の前記スライダとは反対側の他方の該スライダにおける前記ラックギアと噛合し、前記ユニットベースに回転可能に支持される従動ギアと
を具備する」ものであることを特徴とする。
【手続補正７】
【補正対象書類名】明細書
【補正対象項目名】００７３
【補正方法】変更
【補正の内容】
【００７３】
このように、本発明によれば、遊技媒体に線材を付着して行われる不正行為を抑止することが可能な遊技機を提供することができる。
【手続補正８】
【補正対象書類名】明細書
【補正対象項目名】１０６１
【補正方法】変更
【補正の内容】
【１０６１】
【特許文献１】特開２００８−７３３４０号公報
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、該収容部に前記不正防止部材が設けられる
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
しかしながら、従来の遊技機では、線材を取り付けた遊技媒体を、通常の遊技媒体と同様に貯留部から遊技領域内へ発射して行うような不正行為については考慮されていなかった。
【手続補正５】
【補正対象書類名】明細書
【補正対象項目名】０００５
【補正方法】変更
【補正の内容】
【０００５】
そこで、本発明は上記の実情に鑑み、遊技媒体に線材を付着して行われる不正行為を抑止することが可能な遊技機の提供を課題とするものである。
【手続補正６】
【補正対象書類名】明細書
【補正対象項目名】０００６
【補正方法】変更
【補正の内容】
【０００６】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、該収容部に前記不正防止部材が設けられる
ことを特徴とする。
また、本発明とは別に開示する別発明の手段を以下に示す。
手段１：遊技機において、
「遊技者の操作によって遊技媒体が打込まれる遊技領域と、
該遊技領域の後端を区画し、正面視略中央に前後方向へ貫通した所定広さの開口部を有する板状の遊技パネルと、
該遊技パネルの前面に取付けられ、前記開口部に略沿って前方へ突出して遊技媒体の通過を遮断可能とされた周壁部、及び該周壁部の内側で前後方向へ貫通した略矩形状の窓部を有した枠状のセンター役物と、
該センター役物の前記窓部を通して遊技者側から視認可能とされると共に、前記遊技パネルの後側に配置され、所定の演出画像を表示可能な演出表示手段と、
該演出表示手段よりも前側且つ正面視で前記センター役物の前記窓部における特定辺に接するように遊技者側から視認可能な状態で配置され、該特定辺の長さと略同じ長さで立体的に造形された装飾本体と、
該装飾本体の長手方向基端側から交差する方向で正面視前記遊技領域中央側の方向へ延びたステー部と、
該ステー部における前記装飾本体とは反対側の基端側を前後方向へ延びた軸心周りに回動可能に支持するスライドベースと、
該スライドベースに取付けられ、前記遊技領域内に遊技媒体が打込まれることで変化する遊技状態に応じて、前記装飾本体が前記特定辺と略平行となるように位置した第一回動位置と前記装飾本体が前記特定辺に対して交差する辺と略平行となるように位置した第二回動位置との間で回動するように前記ステー部を回動駆動させる回動駆動機構と、
該回動駆動機構と共に前記スライドベースを、前記窓部における前記特定辺に対して交差する辺と略平行な方向へスライド可能に支持し、前記遊技パネルと前記演出表示手段との間で且つ正面視前記窓部よりも外側に配置されるユニットベースと、
該ユニットベースに取付けられ、遊技状態に応じて、前記スライドベースが正面視前記遊技領域の中央側に位置した第一スライド位置と前記スライドベースが前記特定辺に接近した第二スライド位置との間で前記スライドベースをスライド駆動させるスライド駆動機構と
を具備する」ものであることを特徴とする。
【手続補正７】
【補正対象書類名】明細書
【補正対象項目名】００７３
【補正方法】変更
【補正の内容】
【００７３】
このように、本発明によれば、遊技媒体に線材を付着して行われる不正行為を抑止することが可能な遊技機を提供することができる。
【手続補正８】
【補正対象書類名】明細書
【補正対象項目名】１０５３
【補正方法】変更
【補正の内容】
【１０５３】
【特許文献１】特開２００８−７３３４０号公報
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
遊技に関する情報を記憶する記憶手段を備え、
前記記憶手段は、可変表示に関する情報を保留記憶として記憶する保留記憶手段を含み、
前記保留記憶手段に保留記憶が記憶されていることを示す保留表示を表示する保留表示手段と、
可変表示が開始される前に、可変表示の表示結果が特定表示結果となるか否かを判定する開始前判定手段と、
前記開始前判定手段の判定結果にもとづいて、当該判定の対象となった可変表示が実行される前の特定のタイミングにおいて前記保留表示手段に表示される保留表示の表示態様を通常態様とは異なる特定態様にする報知演出を実行する報知演出実行手段と、
予告演出を実行する予告演出実行手段と、
遊技の進行を制御する遊技制御手段と、
前記遊技制御手段からの情報にもとづいて可変表示に対応した演出を実行する演出制御手段とをさらに備え、
前記遊技制御手段は、保留記憶に関する情報と、前記開始前判定手段の判定結果に関する情報とを送信する情報送信手段とを含み、
前記演出制御手段は、少なくとも保留記憶に関する情報または判定結果に関する情報のうちのいずれかの情報を正常に受信することができなかった場合に、前記報知演出の実行を制限する報知演出制限手段を含み、
前記特定のタイミングにおいて前記予告演出実行手段によって前記予告演出が実行されている場合には、前記保留表示手段に表示される保留表示の表示態様を前記特定態様にしないことを特徴とする、遊技機。
【請求項２】
前記記憶手段の記憶領域において、アクセスを禁止する禁止領域を設定する禁止領域設定手段と、
前記禁止領域へのアクセスを検出する検出手段と、
前記検出手段による検出結果に基づいて、前記遊技機をリセットするリセット手段と、
前記リセット手段によるリセット動作を禁止可能とするリセット設定手段とをさらに備える、請求項１に記載の遊技機。
【手続補正２】
【補正対象書類名】明細書
【補正対象項目名】００１１
【補正方法】変更
【補正の内容】
【００１１】
（手段１）本発明による遊技機は、
可変表示を行い、遊技者にとって有利な有利状態（例えば、大当り遊技状態）に制御する遊技機であって、遊技に関する情報を記憶する記憶手段（例えば、主基板３１に設けたＲＯＭ５４やＲＡＭ５５など）を備え、記憶手段は、可変表示に関する情報を保留記憶として記憶する保留記憶手段（例えば、ＲＡＭ５５に形成される第１保留記憶バッファ、第２保留記憶バッファ）を含み、保留記憶手段に保留記憶が記憶されていることを示す保留表示を表示する保留表示手段と、可変表示が開始される前に、可変表示の表示結果が特定表示結果となるか否かを判定する開始前判定手段（例えば、遊技制御用マイクロコンピュータ５６０におけるステップＳ１２１７Ａ，Ｓ１２１７Ｂを実行する部分）と、開始前判定手段の判定結果にもとづいて、当該判定の対象となった可変表示が実行される前の特定のタイミング（例えば、始動入賞が発生したタイミング、保留記憶を消化し保留表示をシフトするタイミング）において保留表示手段に表示される保留表示の表示態様を通常態様とは異なる特定態様にする報知演出（例えば、保留予告演出）を実行する報知演出実行手段（例えば、演出制御用マイクロコンピュータ１００におけるステップＳ６０１１，Ｓ６０１２を実行する部分）と、予告演出（例えば、所定演出、ステップアップ予告演出やミニキャラ予告演出、可動物予告演出、演出羽根役物予告演出）を実行する予告演出実行手段（例えば、演出制御用マイクロコンピュータ１００において、ステップＳ８００Ａの所定演出処理を実行する部分や、ステップＳ８００４で選択した予告演出に応じたプロセスデータに従ってステップＳ８１０５を実行する部分）と、遊技の進行を制御する遊技制御手段（例えば、遊技制御用マイクロコンピュータ５６０）と、遊技制御手段からの情報にもとづいて識別情報の可変表示に対応した演出（例えば、演出図柄の変動表示）を実行する演出制御手段（例えば、演出制御用マイクロコンピュータ１００）とをさらに備え、遊技制御手段は、保留記憶に関する情報（例えば、第１保留記憶数加算指定コマンド、第２保留記憶数加算指定コマンド）と、開始前判定手段の判定結果に関する情報（例えば、図柄指定コマンド、変動カテゴリコマンド）とを送信する情報送信手段とを含み、演出制御手段は、少なくとも保留記憶に関する情報または判定結果に関する情報のうちのいずれかの情報を正常に受信することができなかった場合に、報知演出の実行を制限する報知演出制限手段（例えば、演出制御用マイクロコンピュータ１００におけるステップＳ６００３でＮのときやステップＳ６００４でＮのとき、ステップＳ６００８以降の処理に移行せず、保留予告演出を開始しない）を含み、特定のタイミングにおいて予告演出実行手段によって予告演出が実行されている場合には、保留表示手段に表示される保留表示の表示態様を特定態様にしないことを特徴とする。そのような構成により、特定予告演出に対する注目度を維持しつつ報知演出の実行頻度の低下を防止して、遊技に対する興趣を向上させることができる。
【手続補正３】
【補正対象書類名】明細書
【補正対象項目名】００２４
【補正方法】変更
【補正の内容】
【００２４】
（手段１２）手段１において、記憶手段の記憶領域において、アクセスを禁止する禁止領域を設定する禁止領域設定手段（例えば、ＣＰＵ５６の制御レジスタに設定）と、禁止領域へのアクセスを検出する検出手段（例えば、ＣＰＵ５６での制御レジスタに記憶されたアドレスとの比較）と、検出手段による検出結果に基づいて、遊技機をリセットするリセット手段（例えば、パチンコ遊技機１のリセット）と、リセット手段によるリセット動作を禁止可能とするリセット設定手段（ＣＰＵ５６でリセット動作を許可するか禁止するかを設定）とをさらに備える。
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
可変表示を行い、有利条件が成立したことにもとづいて有利状態に制御する遊技機であって、
可変表示に関する情報を保留記憶として記憶する保留記憶手段と、
前記保留記憶手段に記憶されている保留記憶に対応して所定の表示態様で保留表示を表示する保留表示手段と、
前記有利状態に制御するか否かを決定する決定手段と、
前記決定手段による決定結果にもとづいて、可変表示の制御を行う可変表示制御手段と、
前記決定手段の決定前に、前記有利状態に制御されるか否かを判定する判定手段と、
前記判定手段による判定結果にもとづいて、前記有利状態に制御される可能性を判定対象となった保留記憶に対応する保留表示を通常態様とは異なる表示態様に変化させて表示することにより予告する予告演出を実行する予告演出実行手段と、
保留表示の表示態様が変化することを示唆する示唆演出を実行する示唆演出実行手段とを備え、
前記予告演出実行手段は、前記保留表示手段によって表示されている保留表示のうちに前記通常態様とは異なる表示態様で表示されている保留表示があるか否かに応じて、異なる割合で前記保留表示手段によって表示されている保留表示のうちのいずれかを、表示されている表示態様から異なる表示態様に変化させ、
前記示唆演出実行手段は、
前記保留表示手段によって表示されている保留表示のうちに前記通常態様とは異なる表示態様で表示されている保留表示があるか否かに応じて、異なる割合で示唆演出を実行し、
複数種類の示唆演出を実行可能である
ことを特徴とする遊技機。
【手続補正２】
【補正対象書類名】明細書
【補正対象項目名】０００９
【補正方法】変更
【補正の内容】
【０００９】
（手段１）本発明による遊技機は、可変表示（例えば、第１特別図柄や第２特別図柄、演出図柄の変動表示）を行い、有利条件が成立したことにもとづいて有利状態（例えば、大当り遊技状態）に制御する遊技機であって、可変表示に関する情報を保留記憶（例えば、第１保留記憶や第２保留記憶）として記憶する保留記憶手段（例えば、第１保留記憶バッファや第２保留記憶バッファ）と、保留記憶手段に記憶されている保留記憶に対応して所定の表示態様で保留表示を表示する保留表示手段（例えば、合算保留記憶表示部１８ｃ）と、記有利状態に制御するか否かを決定する決定手段（例えば、遊技制御用マイクロコンピュータ５６０がステップＳ６１，Ｓ６２，Ｓ７３を実行する部分）と、決定手段による決定結果にもとづいて、可変表示の制御を行う可変表示制御手段（例えば、演出制御用マイクロコンピュータ１００がステップＳ１８１３，Ｓ１８４５を実行する部分）と、決定手段の決定前に、前記有利状態に制御されるか否かを判定する判定手段（例えば、遊技制御用マイクロコンピュータ５６０がステップＳ１２１７，Ｓ１２２８を実行する部分）と、判定手段による判定結果にもとづいて、有利状態に制御される可能性を判定対象となった保留記憶に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、予告演出実行手段は、保留表示手段によって表示されている保留表示のうちに通常態様とは異なる表示態様で表示されている保留表示があるか否か（例えば、保留表示変化中フラグがセットされているか否か）に応じて、異なる割合で保留表示手段によって表示されている保留表示のうちのいずれかを、表示されている表示態様から異なる表示態様に変化させ（例えば、演出制御用マイクロコンピュータ１００が、保留表示変化中フラグがセットされているか否かにもとづいて、判定値が異なる割合で設定された先読み演出実行決定テーブルと、先読み演出パターン変化タイミング決定テーブルとを選択して用いて、先読み演出の実行の有無と実行する場合の変化タイミングとを決定する先読み演出決定処理（ステップＳ６７１，Ｓ６７１０４，Ｓ６７１０８）を実行する部分と、先読み演出決定処理の決定結果にもとづいて、ステップＳ１８１３，Ｓ１８４５を実行する部分。図３３，図３５〜図３８参照）、示唆演出実行手段は、保留表示手段によって表示されている保留表示のうちに通常態様とは異なる表示態様で表示されている保留表示があるか否かに応じて、異なる割合で示唆演出を実行し、複数種類の示唆演出を実行可能であることを特徴とする。
そのような構成により、予告演出が実行されるときの保留表示の表示態様にも関心を持たせることができ、予告演出の興趣を高めることができる。